(57)【要約】【課題】防水性を確保しつつ、リワーク性を高め得る情報処理端末の構成を提供する。【解決手段】表示部２４のうち表示画面の外縁側となる外縁面２４ｄは、平面状に形成され、表示部２４を保持するホルダ５０には、外縁面２４ｄに対して面一であって、当該外縁面２４ｄを所定の隙間Ｇを介して環状に囲う環状面５３が形成される。そして、表示部２４は、防水性を有する化粧シート１３がカバーガラス２４ｃの外縁面２４ｄから環状面５３にかけて上記所定の隙間Ｇを閉塞するように貼り付けられることで、ホルダ５０に固定される。【選択図】図４
2020140434.tif 000002
【特許請求の範囲】
【請求項１】
筐体と、
所定の情報を表示画面に表示する表示部と、
前記筐体に対して覆われるように組み付けられて前記表示部を保持するホルダと、
防水性を有する化粧シートと、
を備える情報処理端末であって、
前記表示部のうち前記表示画面の外縁側となる外縁面は、平面状に形成され、
前記ホルダには、前記外縁面に対して面一であって、当該外縁面を所定の隙間を介して環状に囲う環状面が形成され、
前記表示部は、前記化粧シートが前記外縁面から前記環状面にかけて前記所定の隙間を閉塞するように貼り付けられることで、前記ホルダに固定されることを特徴とする情報処理端末。
【発明の詳細な説明】
【技術分野】
【０００１】
本発明は、防水機能を有する情報処理端末に関するものである。
【背景技術】
【０００２】
従来、所定の情報が表示面に表示される情報処理端末の防水構造に関する技術として、例えば、下記特許文献１に開示されるフラットパネルディスプレイ用粘着テープが知られている。このフラットパネルディスプレイ用粘着テープは、フラットパネルディスプレイの裏面側の額縁部の形状と外縁が一致する四角環状の両面テープとして構成されており、筐体の底面とフラットパネルディスプレイの裏面との間に介在することで、フラットパネルディスプレイを筐体に固定しつつ、防水性を確保している。
【先行技術文献】
【特許文献】
【０００３】
【特許文献１】特開２０１５−０１３９０９号公報
【発明の概要】
【発明が解決しようとする課題】
【０００４】
ところで、上述のように両面テープを用いて防水性を確保する構成では、リワーク性が悪くなるという問題がある。例えば、製品出荷後のリワーク時に、両面テープで固定されている各部品をばらすと、一部の部品が破損などして再利用できなくなる可能性がある。特に、防水性の検査時に不良と判定されてしまうと、両面テープで固定されている各部品をばらす必要があり、両面テープで固定した後に別の組付工程等を経て完成する完成品では、その別の組付工程等で組み付けた部品までばらす必要があることから、リワークリスクが高くなるという問題がある。
【０００５】
本発明は、上述した課題を解決するためになされたものであり、その目的とするところは、防水性を確保しつつ、リワーク性を高め得る情報処理端末の構成を提供することにある。
【課題を解決するための手段】
【０００６】
上記目的を達成するため、特許請求の範囲の請求項１に記載の発明は、
筐体（１１）と、
所定の情報を表示画面に表示する表示部（２４）と、
前記筐体に対して覆われるように組み付けられて前記表示部を保持するホルダ（５０）と、
防水性を有する化粧シート（１３）と、
を備える情報処理端末（１０）であって、
前記表示部のうち前記表示画面の外縁側となる外縁面（２４ｄ）は、平面状に形成され、
前記ホルダには、前記外縁面に対して面一であって、当該外縁面を所定の隙間（Ｇ）を介して環状に囲う環状面（５３）が形成され、
前記表示部は、前記化粧シートが前記外縁面から前記環状面にかけて前記所定の隙間を閉塞するように貼り付けられることで、前記ホルダに固定されることを特徴とする。
なお、上記各括弧内の符号は、後述する実施形態に記載の具体的手段との対応関係を示すものである。
【発明の効果】
【０００７】
請求項１の発明では、表示部のうち表示画面の外縁側となる外縁面は、平面状に形成され、表示部を保持するホルダには、外縁面に対して面一であって、当該外縁面を所定の隙間を介して環状に囲う環状面が形成される。そして、表示部は、防水性を有する化粧シートが外縁面から環状面にかけて上記所定の隙間を閉塞するように貼り付けられることで、ホルダに固定される。
【０００８】
これにより、化粧シートによって、表示部及びホルダの固定と両部材の隙間に関する防水性の確保とを実現することができる。特に、リワーク時には、化粧シートを剥がすだけで表示部とホルダとをばらすことができ、化粧シートの目的からして当該化粧シートの貼り付け後に別の組付工程等がなされることもないので、防水性を確保しつつ、リワーク性を高めることができる。
【図面の簡単な説明】
【０００９】
【図１】第１実施形態に係る情報処理端末を示す平面図である。
【図２】図１の情報処理端末の側面図である。
【図３】図３（Ａ）は、図１の情報処理端末の電気的構成を例示するブロック図であり、図３（Ｂ）は、無線タグ処理部の電気的構成を例示するブロック図であり、図３（Ｃ）は、情報コード読取部の電気的構成を例示するブロック図である。
【図４】図１のＸ−Ｘ断面の一部を概略的に示す拡大断面図である。
【発明を実施するための形態】
【００１０】
以下、本発明に係る情報処理端末を具現化した第１実施形態について、図面を参照して説明する。
本実施形態に係る情報処理端末１０は、ユーザによって携帯されて様々な場所で用いられる携帯型の情報読取装置として構成されており、バーコードや二次元コードなどの情報コードＣを光学的に読み取る情報コードリーダとしての機能に加えて、アンテナを介して送受信される電波を媒介としてＲＦＩＤタグなどの無線タグＴに記憶されている情報を読み書きする機能を兼ね備え、読み取りを二方式で行いうる構成となっている。
【００１１】
図１及び図２に示すように、情報処理端末１０の外郭を構成する筐体１１は、略薄板状に形成されており、その裏面には、情報コードＣからの反射光を筐体１１内に取り込むための読取口１２が設けられている。また、筐体１１の表面側１１ａには、狭額縁化（狭ベゼル化）されるように表示画面が大型化された表示部２４がホルダ５０により保持された状態で配置され、この表示画面を囲うように化粧シート（意匠面シート）１３が貼付けされている。
【００１２】
化粧シート１３は、防水性を有する両面テープ付きの樹脂シートであって、筐体１１内に組み付けられるホルダ５０に加えて筐体内部のリブや締結部等を隠してその面に意匠を付与するためのシート部材として構成されている。なお、表示部２４、ホルダ５０及び化粧シート１３の詳細構造については後述する。
【００１３】
筐体１１内には、情報処理端末１０全体を制御する制御部２１が設けられている。この制御部２１は、マイコンを主体として構成されるものであり、ＣＰＵ、システムバス、入出力インタフェース等を有し、記憶部２２とともに情報処理装置を構成している。記憶部２２には、情報コードＣを光学的に読み取る読取処理を実行するためのプログラムや無線タグＴを非接触通信にて読み取る読取処理を実行するためのプログラム、通話処理を実行するためのプログラム等が制御部２１により実行可能に予め格納されている。
【００１４】
また、図３（Ａ）に示すように、制御部２１には、ＬＥＤ２３、表示部２４、操作部２５、バイブレータ２６、ブザー２７、通信部２８などが接続されている。表示部２４は、例えば、タッチパネル付き液晶表示装置として構成されており、制御部２１によって表示内容が制御される構成をなしている。操作部２５は、筐体１１の側面等に設けられる複数のキーを備え、キー操作に応じた信号やタッチパネルに対する押圧操作に応じた信号を制御部２１に出力するように構成されている。また、ＬＥＤ２３、バイブレータ２６及びブザー２７は、制御部２１によって制御される構成をなしており、それぞれ、制御部２１からの指令を受けて動作する。
【００１５】
通信部２８は、外部機器との間でのデータ通信を行うためのインタフェースとして構成されており、制御部２１と協働して通信処理を行うように機能する。また、筐体１１内には、電源部（図示略）が設けられており、この電源部や電池によって制御部２１や各種電気部品に電力が供給されるようになっている。
【００１６】
また、情報処理端末１０は、制御部２１により制御されて外部の情報を読み取り可能な情報読取部として機能する無線タグ処理部３０及び情報コード読取部４０を備えている。
【００１７】
まず、無線タグ処理部３０について、図３（Ｂ）を用いて説明する。
無線タグ処理部３０は、アンテナ３４及び制御部２１と協働して無線タグＴとの間で電磁波による通信を行ない、無線タグＴに記憶されるデータの読取り、或いは無線タグＴに対するデータの書込みを行なうように機能するものである。この無線タグ処理部３０は、公知の電波方式で伝送を行う回路として構成されており、図３（Ｂ）にて概略的に示すように、送信回路３１、受信回路３２、整合回路３３などを有している。
【００１８】
送信回路３１は、キャリア発振器、符号化部、増幅器、送信部フィルタ、変調部などによって構成されており、キャリア発振器から所定の周波数のキャリア（搬送波）が出力される構成をなしている。また、符号化部は、制御部２１に接続されており、当該制御部２１より出力される送信データを符号化して変調部に出力している。変調部は、キャリア発振器からのキャリア（搬送波）、及び符号化部からの送信データが入力される部分であり、キャリア発振器より出力されるキャリア（搬送波）に対し、通信対象へのコマンド送信時に符号化部より出力される符号化された送信符号（変調信号）によってＡＳＫ（Amplitude Shift Keying）変調された被変調信号を生成し、増幅器に出力している。増幅器は、入力信号（変調部によって変調された被変調信号）を所定のゲインで増幅し、その増幅信号を送信部フィルタに出力しており、送信部フィルタは、増幅器からの増幅信号をフィルタリングした送信信号を、整合回路３３を介してアンテナ３４に出力している。このようにしてアンテナ３４に送信信号が出力されると、その送信信号が送信電波として当該アンテナ３４より外部に放射される。
【００１９】
一方、アンテナ３４によって受信された応答信号は、整合回路３３を介して受信回路３２に入力される。この受信回路３２は、受信部フィルタ、増幅器、復調部、二値化処理部、複号化部などによって構成されており、アンテナ３４を介して受信された応答信号を受信部フィルタによってフィルタリングした後、増幅器によって増幅し、その増幅信号を復調部によって復調する。そして、その復調された信号波形を二値化処理部によって二値化し、復号化部にて復号化した後、その復号化された信号を受信データとして制御部２１に出力している。
【００２０】
次に、情報コード読取部４０について、図３（Ｃ）を用いて説明する。
情報コード読取部４０は、図３（Ｃ）に示すように、ＣＣＤエリアセンサからなる受光センサ４３、結像レンズ４２、複数個のＬＥＤやレンズ等から構成される照明部４１などを備えた構成をなしており、制御部２１と協働して読取対象Ｒに付された情報コードＣ（バーコードや二次元コード）を読み取るように機能する。
【００２１】
この情報コード読取部４０によって読み取りを行う場合、まず、制御部２１によって指令を受けた照明部４１から照明光Ｌｆが出射され、この照明光Ｌｆが読取口１２を通って読取対象Ｒに照射される。そして、照明光Ｌｆが情報コードＣにて反射した反射光Ｌｒは読取口１２を通って装置内に取り込まれ、結像レンズ４２を通って受光センサ４３に受光される。読取口１２と受光センサ４３との間に配される結像レンズ４２は、情報コードＣの像を受光センサ４３上に結像させる構成をなしており、受光センサ４３はこの情報コードＣの像に応じた受光信号を出力する。受光センサ４３から出力された受光信号は、画像データとして記憶部２２に記憶され、情報コードＣに含まれる情報を取得するためのデコード処理に用いられるようになっている。なお、情報コード読取部４０には、受光センサ４３からの信号を増幅する増幅回路や、その増幅された信号をデジタル信号に変換するＡＤ変換回路等が設けられているがこれらの回路については図示を省略している。
【００２２】
次に、表示部２４、ホルダ５０及び化粧シート１３の詳細構造について、図４を参照して詳述する。
図４に示すように、表示部２４は、表示パネル２４ａの上面側に粘着層等を介してタッチパネル２４ｂが貼り付けられ、このタッチパネル２４ｂの上面側に粘着層等を介してカバーガラス２４ｃが貼り付けられるように構成されている。カバーガラス２４ｃは、表示画面の外縁側となる外縁面２４ｄも含めて、上面側の全面が平面状に形成されている。
【００２３】
ホルダ５０は、表示部２４等を保持する金属製の保持部材であって、筐体１１の内周面１１ｂに対して外周面５１にて嵌合することで、筐体１１に対して下面側が覆われるように組み付けられている。ホルダ５０と筐体１１との間で防水性を確保するため、平面視して略四角環状となる外周面５１と内周面１１ｂとの嵌合部分にはシール材等（図示略）が塗布されている。
【００２４】
ホルダ５０には、内リブ５２等を利用して保持した表示部２４の外縁面２４ｄに対して面一であって、当該外縁面２４ｄを所定の隙間Ｇを介して略四角環状に囲う環状面５３が形成されている。
【００２５】
化粧シート１３は、内縁１３ａが表示パネル２４ａにより形成される表示画面よりも広く、外縁１３ｂがホルダ５０の環状面５３よりも広くなるように、略四角環状に形成されている。この化粧シート１３は、筐体１１に対してホルダ５０や表示部２４等を組み付けた後の工程となる最終工程で、表示画面を露出させるとともに環状面５３を隠すようにして、表示部２４の外縁面２４ｄからホルダ５０の環状面５３にかけて所定の隙間Ｇを閉塞するように貼り付けられる。この化粧シート１３の貼り付けにより、表示部２４がホルダ５０に固定される。
【００２６】
このように構成される情報処理端末１０では、表示部２４の外縁面２４ｄとホルダ５０の環状面５３との所定の隙間Ｇが防水性を有する化粧シート１３で閉塞され、ホルダ５０の外周面５１と筐体１１の内周面１１ｂとの嵌合部分にはシール材等が塗布されるため、筐体１１の表面側１１ａに関して防水性が確保される。
【００２７】
その一方で、リワーク時には、化粧シート１３を剥がすだけでホルダ５０に対する表示部２４の固定状態が解除されるため、表示部２４等を破損させることなく、表示部２４とホルダ５０とを容易にばらすことができる。また、防水性の検査時に不良と判定された場合であっても、化粧シート１３を貼り替えるだけで良品と判定される場合もあり、リワークリスクが高くなることもない。
【００２８】
以上説明したように、本実施形態に係る情報処理端末１０では、表示部２４のうち表示画面の外縁側となる外縁面２４ｄは、平面状に形成され、表示部２４を保持するホルダ５０には、外縁面２４ｄに対して面一であって、当該外縁面２４ｄを所定の隙間Ｇを介して環状に囲う環状面５３が形成される。そして、表示部２４は、防水性を有する化粧シート１３がカバーガラス２４ｃの外縁面２４ｄから環状面５３にかけて上記所定の隙間Ｇを閉塞するように貼り付けられることで、ホルダ５０に固定される。
【００２９】
これにより、化粧シート１３によって、表示部２４及びホルダ５０の固定と両部材の隙間Ｇに関する防水性の確保とを実現することができる。特に、リワーク時には、化粧シート１３を剥がすだけで表示部２４とホルダ５０とをばらすことができ、化粧シート１３の目的からして当該化粧シート１３の貼り付け後に別の組付工程等がなされることもないので、防水性を確保しつつ、リワーク性を高めることができる。
【００３０】
なお、本発明は上記実施形態に限定されるものではなく、例えば、以下のように具体化してもよい。
（１）本発明に係る表示部２４は、上面側の全面がカバーガラス２４ｃによって構成されることに限らず、他の透明性のカバーによって構成されてもよい。また、この他の透明性のカバーは、全面が平面状に形成されることに限らず、少なくとも表示画面の外縁側となる外縁面２４ｄが平面状に形成されればよい。
【００３１】
（２）ホルダ５０は、表示部２４等を保持する金属製の保持部材として構成されることに限らず、例えば、表示部２４等を保持する樹脂製の保持部材として構成されてもよい。
【００３２】
（３）本発明に係る情報処理端末は、情報コードリーダとしての機能及び無線タグＴに記憶されている情報を読み書きする機能を兼備するように構成されることに限らず、いずれか一方の機能を有するように構成されてもよいし、他の機能をさらに兼備するように構成されてもよい。また、本発明に係る情報処理端末は、据え置き型の端末として構成されてもよい。
【符号の説明】
【００３３】
１０…情報処理端末
１１…筐体
１３…化粧シート
２４…表示部
２４ｃ…カバーガラス
２４ｄ…外縁面
５０…ホルダ
５３…環状面
Ｇ…所定の隙間
【図１】
2020140434.tif 000003
【図２】
2020140434.tif 000004
【図３】
2020140434.tif 000005
【図４】
2020140434.tif 000006